(57)【要約】      （修正有）【課題】本体の内部に収納されたディスク後方の周縁両側を同時に前方に押し出して、ディスクの排出が安全でありながら、正確になされるようにすることのできる挿入型ディスクケースを提供する。【解決手段】その構成は、前方開放部を介して円形のディスクが挿入、排出される四角形状の収納空間が内部に具備されている本体1と、前記本体の後方に横方向に具備されている長孔2と、前記収納空間後方の両側空間部と前記長孔の両側に、ガイド部を介して横方向に移動可能に向かい合って各々が具備されており、前記長孔の外部に露出された部分の外部操作を介して、相互横方向に近接移動しながら、収納されたディスクの後方周縁を内側面が前方に押し出して排出する両側の操作排出カム板3とから構成され、また、挿入されたディスクの両端をつかむ両側ロッキング部4から構成されたロッキング手段を含む。【選択図】図１
2005119743.tif 000002
【特許請求の範囲】
【請求項１】
前方開放部１１を介して円形のディスク１０が挿入、排出される四角形状の収納空間１２が内部に具備されている本体１と、
前記本体１の後方に横方向に具備されている長孔２と、
前記収納空間１２後方の両側空間部と長孔２の両側に、ガイド部３１を介して横方向に移動可能に向かい合って各々が具備されており、各々の後方が前記長孔２を通過して露出されていて、前記長孔２の外部に露出された部分の外部操作を介して、相互横方向に近接移動しながら、収納されたディスク１０の後方周縁を内側面が前方に押し出してディスクを排出する両側の操作排出カム板３、
とから構成されることを特徴とする挿入型ディスクケース。
【請求項２】
前記操作排出カム板３の外側と前記収納空間１２の側壁との間には、
収納されたディスク１０が排出された後、中間まで移動した操作排出カム板３を元の位置に復帰させる復元スプリング３２が更に具備されることを特徴とする特許請求の範囲第１項に記載の挿入型ディスクケース。
【請求項３】
前記操作排出カム板３は、
内側前方に具備され、収納されたディスク１０の両側後方部に密着してディスクを排出する円弧面３３と、内側後方に具備され、前記円弧面３３がディスクの両端部に密着する前に、先にディスク１０の後方を押し出す突出段顎部３４とを含むことを特徴とする特許請求の範囲第２項に記載の挿入型ディスクケース。
【請求項４】
前記円弧面３３は、
挿入されたディスク１０が、前記収納空間１２の真ん中の高さに位置するように、上、下傾斜面３３１，３３２を介して真ん中が凹むように構成されることを特徴とする特許請求の範囲第３項に記載の挿入型ディスクケース。
【請求項５】
ガイド部３１は、
前記操作排出カム板３の上、下部の横方向に、向かい合うように凹み具備された一つ以上のガイド溝３１１と、前記収納空間１２の上、下面に形成され、前記ガイド溝３１１に挿入されてスライディングする突出ガイド３１２とから構成されることを特徴とする特許請求の範囲第３項に記載の挿入型ディスクケース。
【請求項６】
挿入型ディスクケースは、
前記本体１の上部に具備され、内紙２０が挿入される内紙挿入手段５を更に含むことを特徴とする特許請求の範囲第１項に記載の挿入型ディスクケース。
【請求項７】
前記内紙挿入手段５は、
前記本体１の上面に内紙２０を挿入した状態で、これを覆う透明カバー板５１と、この透明カバー板５１の周縁下部に突出するように具備され、本体の下部に引っ掛かって前記透明カバー板５１を本体１の上部に固定する、多数の引っ掛け突出片５２とから構成されることを特徴とする特許請求の範囲第６項に記載の挿入型ディスクケース。
【請求項８】
前記本体１の側壁と下部周縁には、
前記引っ掛け片５２が本体１の外部に突出されるのを防止することができるように、前記引っ掛け突出片５２の挿入される多数の挿入溝５３が更に形成されることを特徴とする特許請求の範囲第７項に記載の挿入型ディスクケース。
【請求項９】
前記内紙挿入手段５は、
前記本体１の上面両側に具備され、内紙２０の両側端部が挿入される多数の挿入段顎５４と、前記挿入段顎５４の上部に挿入され、前記内紙２０の上部をカバーする透明板５６、および前記本体１の前、後方に各々具備され、挿入された内紙２０と透明板５６が前、後方に遊動するのを防止する多数の段顎５５とから構成されることを特徴とする特許請求の範囲第６項に記載の挿入型ディスクケース。
【請求項１０】
前記挿入型ディスクケースは、
前記収納空間１２の両側に向かい合うように具備され、挿入されたディスク１０の両端をつかむ両側ロッキング部４から構成されたロッキング手段を更に含むことを特徴とする特許請求の範囲第１項乃至第９項のいずれかに記載の挿入型ディスクケース。
【請求項１１】
前記ロッキング部４は、前記収納空間１２側部の中間に位置している固定軸４１と、この固定軸４１により真ん中が回転可能に縦方向に挿入装着され、前方外側と前記収納空間１２側壁との間に回転空間部４２１が具備されるように装着されて、収納されたディスク１０の側部周縁をつかむ内側の円弧面４２２が含まれたロッキングバー４２，および前記ロッキングバー４２の外側で、前記回転空間部４２１の側壁に密着するように前方に突出具備され、ロッキングバー４２の前方を内側に常に加圧する板スプリング４３とから構成されることを特徴とする特許請求の範囲第１０項に記載の挿入型ディスクケース。
【請求項１２】
前記ロッキングバー４２の円弧面４２２は、
挿入されたディスク１０が、前記収納空間１２の真ん中の高さに位置するように、上、下傾斜面４２２a，４２２bを介して真ん中が凹むように構成されることを特徴とする特許請求の範囲第１１項に記載の挿入型ディスクケース。
【請求項１３】
前記本体１は、
前方開放部１１の奥側下面に取り付けられ、ディスク１０の記録面の異物質を除去する下部スポンジ１１１を更に含むことを特徴とする特許請求の範囲第１０項に記載の挿入型ディスクケース。
【請求項１４】
前記収納空間１２の下板の中間には、
ディスク１０を収納空間１２の真ん中の高さに挿入されるように、前方にラウンド部１３１の形成された縦方向の突出ガイド顎１３が更に具備されていることを特徴とする特許請求の範囲第１０項に記載の挿入型ディスクケース。
【発明の詳細な説明】
【技術分野】
【０００１】
本発明は、円形のディスクを保管するケースに関するもので、より具体的には、ディスクをケースの前方から挿入、排出させることができるようにする挿入型ディスクケースに関するものである。
【背景技術】
【０００２】
一般的に、ディスクケースとは、情報の貯蔵されたコンパクトディスク（以下、“ディスク”と称する）の内容が損傷されるのを防止するために使用されるものである。
【０００３】
そして、前記ディスクケースは、上部からディスクを収納する方式のカバーオープン型と、側部からディスクを挿入、排出する方式のディスク挿入型とに大きく区分される。
【０００４】
ところが、前記カバーオープン型は、カバーを開放した状態でディスクを容易に挿入したり排出できるという長所を有している反面、ディスクの安着される下部本体とカバーとの間の連結部が弱いため、ケースに衝撃が加わると、前記連結部が容易に損傷されるという短所を有していた。
【０００５】
また、前記ディスク挿入型は、ディスクの挿入が容易で、外部衝撃に対して容易に損傷されないという長所を有している反面、収納されたディスクの排出が容易でないという短所を有していた。
【０００６】
そこで、前記挿入型ディスクケースの短所を補完するために、大韓民国実用新案登録出願第２００１−１１６７０号の“コンパクトディスク保管装置”（以下、従来の考案と称する）が公知となっているのだが、その特徴を見てみると次の通りである。
【０００７】
従来の保管装置は、ケースの内部に、前方に挿入、排出されるディスク収納空間が具備されており、前記収納空間にはケースの外部一側での操作を介して前、後方に移動してディスクを排出する操作部が具備されることを特徴とする。
【０００８】
そして、前記操作部は、前記収納空間の内部で前、後方に移動可能に横方向に装着された移動バーと、この移動バーの一側上部に突出され、外部での操作が可能な移動具とが一体に構成されるものである。
【０００９】
従って、前記移動バーを外部操作を介して前方に移動させる過程を通じて、ケース内の収納空間に収納されるディスクを外部に排出することができるのである。
【００１０】
しかし、前記移動バーを外部の一側から前方に移動させるにおいて、移動バーには一側にのみ前進の力が伝達されるようになることによって、前進移動中、移動バーの他側部が後方に傾斜付いた状態で移動することになる。
【００１１】
従って、ディスクの排出過程で、前記収納空間に収納されたディスクが他側に偏りながら前進移動されることによって、ディスクが容易に排出されなかったり、排出されるディスクの周縁が収納空間の内部側壁と衝突して損傷されるという問題点を有していた。
【００１２】
また、前記ケースを移動させる途中、前方の開放部が下部に位置することになると、収納空間に収納されていたディスクが下部に滑り落ちて破損されるという問題点も有していた。
【発明の開示】
【発明が解決しようとする課題】
【００１３】
そこで、本発明は、前記のような問題点を解決するために発明されたもので、本体の内部に収納されたディスク後方の周縁の両側を同時に前方に押し出して、ディスクの排出が安全でありながら、正確になされるようにする挿入型ディスクケースを提供することを目的とする。
【００１４】
また、挿入型ディスクケースにおいて、音盤の説明および歌詞の収録された案内紙（以下、“内紙”と称する）の挿入を容易にする、挿入型ディスクケースを提供することを目的とするものである。
【００１５】
また、収納空間に収納されたディスクの両側をつかんで、ケースの移動中、内部に収納されたディスクが外部に排出されるのを予防できるようにする目的もある。
【００１６】
また、前記収納空間に収納されるディスクが、収納空間の上、下面と距離をおいて真ん中に位置するようにすることによって、外部の衝撃に対してディスクが容易に損傷されるのを予防することができるようにする目的もある。
【００１７】
また、収納空間に挿入されたり排出される瞬間、ディスクの表面に付いている異物質も除去できるようにする目的もある。
【課題を解決するための手段】
【００１８】
前記のような目的を達成するための本発明は、前方開放部を介して円形のディスクが挿入、排出される四角形状の収納空間が内部に具備されている本体と、前記本体の後方に横方向に具備されている長孔と、前記収納空間後方の両側空間部と長孔の両側に、ガイド部を介して横方向に移動可能に向かい合って各々が具備されており、各々の後方が前記長孔を通過して露出されていて、前記長孔の外部に露出された部分の外部操作を介して、相互横方向に近接移動しながら収納されたディスクの後方周縁を内側面が前方に押し出して排出する両側の操作排出カム板とから構成されることを特徴とするものである。
【００１９】
また、前記挿入型ディスクケースは、前記収納空間の両側に向かい合うように具備され、挿入されたディスクの両端をつかむ両側ロッキング部から構成されたロッキング手段を含むことを特徴とするものである。
【発明の効果】
【００２０】
上述したように、本発明は、本体の収納空間に具備されたディスク後方の周縁両側を同時に前方に押し出し、ディスクの排出が安全でありながら、正確になされるようにすることによって、ディスクの収納過程でのディスクの損傷を予防する効果がある。
【００２１】
また、ディスクケースに内紙の挿入を容易にすることのできる効果がある。
【００２２】
また、収納空間に収納されたディスクの両側をつかんで、ケースの移動中、内部に収納されたディスクが外部に排出されるのを予防することによって、安定的な保管が可能なディスクケースを提供する効果もある。
【００２３】
また、前記収納空間に収納されるディスクが収納空間の真ん中に位置するようにすることによって、外部からの衝撃をディスクが直接的に受けないようにすることによって、外部衝撃からディスクを保護することができる効果もある。
【００２４】
また、収納空間に挿入されたり排出される瞬間、ディスクの表面に付いている異物質を除去することによって、ディスク使用時の表面掃除の必要性をなくせる効果もある。
【００２５】
本発明は、添付の図面を参照に好ましい実施例を中心に記述されているが、当業者なら、このような記載から本発明の範疇を脱することなく、多くの自明な変形が可能であることは明白である。従って、本発明の範疇は、このような多くの変形例を含むように記述された特許請求の範囲によって解釈されるべきである。
【発明を実施するための最良の形態】
【００２６】
以下、本発明を添付の図面を参照しながら詳細に説明する。
【００２７】
図１は、本発明のディスクケースの一実施例を示した後方から見た斜視図で、図２は、本発明のディスクケースを示した後方から見た一部分解斜視図で、図３は、本発明によるディスクケースの内部を示した正面から見た平面断面図で、図４は、図１のＡ−Ａ線の断面である。
【００２８】
ここで、本発明のディスクケースは、前方開放部１１を介して円形のディスク１０が挿入、排出される四角形状の収納空間１２が内部に具備されている本体１と、前記本体１の後方に横方向に具備されている長孔２と、前記収納空間１２後方の両側空間部と前記長孔２の両側に向かい合うように具備され、収納されたディスクを前方に押し出して外部に排出する両側の操作排出カム板３とから構成される。
【００２９】
特に、前記両側に向かい合うように具備された操作排出カム板３は、前記収納空間１２の両空間部に具備されているガイド部３１を介して横方向に移動可能に具備されており、外部で操作ができるように後方が前記長孔２を貫通して外部に露出されているのである。従って、前記両側の操作排出カム板３の後方の突出部を、外部で使用者の操作を介して相互横方向に近接移動させることになると、操作排出カム板３の内側面が、収納されたディスクの後方周縁を前方に押し出すことによって、収納されたディスク１０が前記前方開放部１１を介して外部に排出されることになるのである。
【００３０】
また、前記収納空間１２の両側には、ケースの移動中、ディスクが収納空間１２から排出されるのを防止することができるように、挿入されたディスク１０の両端をつかむ両側ロッキング部４が具備されている。なお、前記ロッキング部４は、前記収納空間１２側部の中間に位置している固定軸４１と、この固定軸４１により真ん中が回転可能に縦方向に挿入装着され、前方外側と前記収納空間１２側壁との間に回転空間部４２１が具備されるように装着されて、収納されたディスク１０の側部周縁をつかむ内側の円弧面４２２が含まれたロッキングバー４２とから構成される。そして、前記回転空間部４２１には、前記ロッキングバー４２の外側で、前記回転空間部４２１の側壁に密着する板スプリング４３が突出具備されることによって、前記ロッキングバー４２の前方を常に内側に加圧するようにするものである。そして、前記ロッキングバー４２の円弧面４２２は、挿入されたディスク１０が前記収納空間１２の真ん中の高さに位置するように、上、下傾斜面４２２a，４２２bを介して真ん中が凹むように構成されるものである。
【００３１】
また、図２に図示されているように、前記本体１は、前記収納空間１２と操作排出カム板３およびロッキングバー４２とが具備されている下部本体と、前記収納空間１２の上部を覆う上部カバーとが一体に構成されているものである。そして、前記本体１の前方開放部１１の奥側下面には、ディスク１０の記録面の異物質を除去するスポンジ１１１が更に取り付けられることによって、ディスクが収納空間に挿入されたり、排出される瞬間、ディスクの表面に付いている異物質を容易に除去することができるのである。
【００３２】
一方、図５は、図１のＢ−Ｂ線の断面図を示したもので、図２および図５に示されているように、前記本体１の上部には内紙２０を挿入する内紙挿入手段５が具備される。
【００３３】
つまり、前記内紙挿入手段５は、前記本体１の上面に内紙２０を挿入した状態で、これを覆う透明カバー板５１と、この透明カバー板５１の周縁下部に突出して具備され、本体の下部に引っ掛かって前記透明カバー板５１を本体１の上部に固定する、多数の引っ掛け突出片５２とから構成される。
【００３４】
そして、前記本体１の側壁と下部周縁には、前記引っ掛け突出片５２が本体１の外部に突出されるのを防止することができるように、前記引っ掛け突出片５２の挿入される多数の挿入溝５３が形成されている。
【００３５】
従って、前記本体１の上部に内紙２０を載置した状態で、前記透明カバー板５１を本体１の上部に覆い、カバー板５１の両側に具備された引っ掛け突出片５２を本体１の下部に引っ掛けるようにする過程を介して、内紙２０を挿入するのである。
【００３６】
以下、前記の構成をより具体的に説明すると、次のとおりである。
図６は、図２のＣ部の内部を図示した拡大図で、図７は、図３のＤ部の拡大図であり、前記操作排出カム板３の外側と前記収納空間１２の側壁の間には、収納されていたディスク１０が排出された後、中間に移動された操作排出カム板３を元の位置に復帰させる復元スプリング３２が具備されることによって、ディスク１０が収納されていなくても、排出カム板３がお互い離れた状態を維持することにより、ディスク１０の再挿入時、便利性を提供することができるのである。
【００３７】
そして、前記ガイド部３１は、前記操作排出カム板３の上、下部の横方向に、向かい合うように凹み具備された一つ以上のガイド溝３１１と、前記収納空間１２の上、下面に形成され、前記ガイド溝３１１に挿入されてスライディングする突出ガイド３１２とから構成される。
【００３８】
また、前記操作排出カム板３は、内側前方に具備され、収納されたディスク１０の両端部に密着してディスクを排出する円弧面３３と、内側後方に具備され、前記円弧面３３がディスクの両端部に密着する前に、先にディスク１０の後方を押し出す突出段顎部３４とを含む。
【００３９】
そして、図８は、図７のＥ−Ｅ線の断面図で、前記円弧面３３は、図７および図８に図示されているように、挿入されたディスク１０が前記収納空間１２の真ん中の高さに位置するように、上、下傾斜面３３１，３３２を介して真ん中が凹むように構成される。
【００４０】
従って、前記収納されたディスク１０を排出する瞬間には、前記突出段顎部３４がディスク１０の後方側に先に密着し、ディスク１０を前方に若干押した後、前記円弧面３３を介してディスク１０の両側後方を全体的に押し出すことによって、ディスク１０を滑らかに排出されるようになるのである。
【００４１】
つまり、先に突出段顎部３４を介してディスク１０の後方側を前方に押し出すと、ディスク１０には前方にだけ移動しようとする力が発生する。従って、ディスク１０が前方に若干移動された後、両側後方を横方向に押すだけでも、ディスク１０は前方に滑らかに排出されることになるのである。
【００４２】
図９は、図１のＦ−Ｆ線の断面図で、前記本体１の内部に具備された収納空間１２の下板の中間には、ディスク１０を収納空間１２の真ん中の高さに挿入されるように、前方にラウンド部１３１の形成された縦方向の突出ガイド顎１３が更に具備されている。
【００４３】
従って、前記ディスク１０を挿入することになると、挿入されたディスク１０は、前記突出ガイド顎１３の上部に上げられることにより、収納空間１２の真ん中の高さに位置され得るのである。
【００４４】
以下、前記のように構成された本発明の作動関係を説明すると次のとおりである。
【００４５】
まず、図１および図３は、ディスクが本体１の収納空間１２に挿入されている状態を示したもので、ディスク１０が完全に挿入され、収納空間１３後方の両側に具備されている操作排出カム板３が両側に後退しており、収納空間１２の両側に具備されているロッキング部４が、ディスク１０の両側周縁の前方を加圧している状態を示す。
【００４６】
つまり、前記ロッキング部４を構成するロッキングバー４２の前方上面に具備されている板スプリング４３を介してロッキングバー４２の前方が内側に回転されていることによって、収納されたディスク１０の両側周縁の前方を加圧する状態を維持するのである。
【００４７】
次に、図１０は、本発明のケースを介してディスクを排出する状態を示したもので、前記のように収納された空間より、ディスク１０が完全に挿入された状態でディスク１０を排出する場合、まず後方の両側に突出されている操作排出カム板３の後方を、指を介して同時に相互近接するように移動させる。すると、前記収納空間１３の後方両側に具備されている操作排出カム板３が同時に内側に前進することによって、前記操作排出カム板３の内側面が、収納されたディスク１０の後方を前方に押し出すことになるのである。
【００４８】
そして、前記のように外力を介してディスク１０を押し出す過程では、ディスク１０が前方に移動しようとする力が強いので、収納空間１２の両側に具備されているロッキング部４の前方が固定軸４１を中心に外側に回転されるのである。つまり、両側に位置している両ロッキングバー４２の前方は、ディスク１０が前方に排出される時点で、両側に広がった後、再び板スプリング４３の復元力を介して内側に復帰されるのである。
【００４９】
反対に、再びディスク１０を開放部に挿入する場合は、ディスク１０の挿入力によって、収納空間１２の両側に具備されているロッキングバー４２の前方が外側に広がることになり、ディスク１０が収納空間に完全に挿入された状態では、前記両側のロッキングバー４２の外側に具備されている板スプリング４３の復元力を介してロッキングバー４２が内側に復帰され、ディスク１０の周縁前方をつかむことになるのである。
【００５０】
従って、ケースの運搬中、ディスク１０が遊動されたり、外部へと離脱されるのを防止することができるのである。
【００５１】
一方、図１１は、本発明による他の実施例のディスクケースを示したもので、まず、本体１の内部構成は、上述した一実施例の構成と同一であることを前提にし、前記本体１の上部には、前記本体１上面の両側に具備され、内紙２０の両側端部が挿入される多数の挿入段顎５４と、前記挿入段顎５４の上部に挿入され、前記内紙２０の上部をカバーする透明板５６，および前記本体１の前、後方に各々具備され、前記挿入段顎５４に挿入された内紙２０と透明板５６が前、後方に遊動するのを防止する多数の段顎５５とから構成された内紙収納手段５が具備された状態を示す。
【００５２】
従って、前記本体１の両側に具備されている挿入段顎５４に内紙２０を挿入した後、前記挿入段顎５４の上部に内紙を保護する透明板５６を更に挿入することによって、内紙２０を本体１の上部に収納することもできるのである。
【図面の簡単な説明】
【００５３】
【図１】本発明のディスクケースの一実施例を示した後方から見た斜視図である。
【図２】本発明のディスクケースを示した後方から見た一部分解斜視図である。
【図３】本発明によるディスクケースの内部を示した正面から見た平面断面図である。
【図４】図１のＡ−Ａ線の断面図である。
【図５】図１のＢ−Ｂ線の断面図である。
【図６】図２のＣ部の内部を示した拡大図である。
【図７】図３のＤ部拡大図である。
【図８】図７のＥ−Ｅ線の断面図である。
【図９】図１のＦ−Ｆ線の断面図である。
【図１０】本発明のケースを介してディスクを排出する状態を示した平面断面図である。
【図１１】本発明による他の実施例のディスクケースを示した後方から見た一部分解斜視図である。
【符号の説明】
【００５４】
１    本体
２    長孔
３    操作排出カム板
４    ロッキング部
５    内紙挿入手段
１０  ディスク
１１  前方開放部
１２  収納空間
１３  突出ガイド顎
２０  内紙
３１  ガイド部
３２  復元スプリング
３３  円弧面
３４  突出段顎部
４１  固定軸
４２  ロッキングバー
４３  板スプリング
５１  透明カバー板
５２  引っ掛け突出片
５３  挿入溝
５４  挿入段顎
５５  段顎
５６  透明板
１１１スポンジ
１３１ラウンド部
３１１ガイド溝
３１２突出ガイド
３３１上傾斜面
３３２下傾斜面
４２１回転空間部
４２２円弧面
４２２a上傾斜面
４２２b下傾斜面
【図１】
2005119743.tif 000003
【図２】
2005119743.tif 000004
【図３】
2005119743.tif 000005
【図４】
2005119743.tif 000006
【図５】
2005119743.tif 000007
【図６】
2005119743.tif 000008
【図７】
2005119743.tif 000009
【図８】
2005119743.tif 000010
【図９】
2005119743.tif 000011
【図１０】
2005119743.tif 000012
【図１１】
2005119743.tif 000013